(57)【要約】      （修正有）【課題】携帯時に本体部のみが見えて外観の見栄えが良い携帯ハンガーとする。【解決手段】第１本体２と第２本体３を開閉自在に連結し、閉じ状態で収容部４を形成する本体部と、この本体部の第１本体２に取り付けられ、前記収容部４内に収容した収容姿勢と、収容部４から張り出した使用姿勢とに回動変位するフック部材５を備え、前記第１本体２と第２本体３を開き状態、フック部材５を使用姿勢とするとき、フック部材５が第２本体の内側面３ａと相対向するようにする。【選択図】図７
0003164945.tif 000002
【実用新案登録請求の範囲】
【請求項１】
第１本体２と第２本体３を、開閉状態に亘って回動自在に連結して収容部４を形成する携帯ハンガーの本体部１と、
前記本体部１に、前記収容部４に収容された収容姿勢と、該収容部４から張り出した使用姿勢とに亘って回動変位するように取り付けたフック部材５を備え、
前記本体部１の第１本体２と第２本体３が開き状態で、前記フック部材５が使用姿勢のときに、フック部材５が第２本体３の内側面３ａと相対向するようにしたことを特徴とする携帯ハンガー。
【請求項２】
前記第１本体２と第２本体３は使用状態において開き状態となるように連結し、
前記第１本体２は収容部４を形成するための部分を有し、この第１本体２の収容部４を形成するための部分にフック部材５を取り付け、
使用状態において第１本体２と第２本体３とフック部材５がほぼコ字形状となるようにした請求項１記載の携帯ハンガー。
【請求項３】
前記第１本体２と第２本体３は使用状態において開き状態となるように連結し、
前記第１本体２は収容部４を形成する凹部２ａを有し、この第１本体２の凹部２ａにフック部材５を取り付け、
使用状態において第１本体２と第２本体３が鉤形状となり、第１本体２とフック部材５が鉤形状となるようにした請求項１記載の携帯ハンガー。
【請求項４】
前記第２本体３の第１本体２と対向した内側面３ａに、滑り止め用のプレート３２を設け、当該プレート３２を使用状態において天板に接するようにした請求項２又は３記載の携帯ハンガー。
【請求項５】
第１部材６と第２部材７を重なり合った第１の姿勢と、ほぼくの字形状の第２の姿勢とに回動自在に連結してフック部材５とし、
前記第１部材６を第１本体２の凹部２ａに、第１部材６と第２部材７を第１の姿勢として凹部２ａに収容する収容姿勢と、第１部材６と第２部材７を第２の姿勢として凹部２ａから張り出した使用姿勢とに回動自在に取り付け、
前記第１部材６の第１本体２に対する回動方向と、第１部材６と第２部材７の回動方向と、前記第１本体２と第２本体３の回動方向を同一とした請求項３記載の携帯ハンガー。
【請求項６】
前記第１本体２と第２本体３との連結部に、当該第１本体２と第２本体３の開き角度を規制する回動ストッパー部を設け、
前記第１部材６は一側片６０と他側片６１を有し、その一側片６０と他側片６１の一端部間に跨って設けたピン７３で第２部材７と回動自在に連結し、該第１部材６と第２部材７との連結部に、第１部材６と第２部材７の最大回動角度を規制して第２の姿勢で保持するストッパー部を設け、
前記一側片６０と他側片６１の他端部を第１本体２に回動自在に取り付けて、その一側片６０、他側片６１を第１本体２に当接して使用姿勢に保持するようにした請求項５記載の携帯ハンガー。
【考案の詳細な説明】
【技術分野】
【０００１】
本考案は、バック等の吊り下げ物をテーブルの天板等に吊り下げる携帯ハンガーに関する。
【背景技術】
【０００２】
外出時にバックを持ち歩くと、外出先においてバックの置き場所に困ることがある。
そこで、テーブルの天板にバックを吊り下げる携帯ハンガーが種々提案されている。
例えば、特許文献１に開示したように、本体部とフック部材を備え、携帯時には、フック部材を畳み姿勢として本体部の外周面に形成した溝に収容し、使用時には、フック部材を本体部の溝から引き出して使用姿勢とし、本体部をテーブルの天板に載せ、フック部材を天板より垂れ下げ、フック部材にバックを掛けて吊り下げるようにした携帯ハンガーが提案されている。
【先行技術文献】
【特許文献】
【０００３】
【特許文献１】実用新案登録第３１５５０９号公報
【考案の概要】
【考案が解決しようとする課題】
【０００４】
前述した従来の携帯ハンガーは、携帯時に、フック部材を本体部の外周面に形成した溝に収容してコンパクトにできるので、携帯に便利である。
しかし、携帯時にフック部材を本体部の溝に収容しても、そのフック部材の側面部分は見える。しかも、フック部材は複数の連係部をピンで畳み可能に連結してあるので、その連係部の連結部が見え、本体部とは異なる外観となる。
これらが相俟って、携帯時の外観の見栄えが悪い。
【０００５】
本考案の目的は、携帯時には本体部のみが見え、外観の見栄えが良い携帯ハンガーとすることである。
【課題を解決するための手段】
【０００６】
本考案は、第１本体２と第２本体３を、開閉状態に亘って回動自在に連結して収容部４を形成する携帯ハンガーの本体部１と、
前記本体部１に、前記収容部４に収容された収容姿勢と、該収容部４から張り出した使用姿勢とに亘って回動変位するように取り付けたフック部材５を備え、
前記本体部１の第１本体２と第２本体３が開き状態で、前記フック部材５が使用姿勢のときに、フック部材５が第２本体３の内側面３ａと相対向するようにしたことを特徴とする携帯ハンガーである。
【０００７】
本考案は、前記第１本体２と第２本体３は使用状態において開き状態となるように連結し、
前記第１本体２は収容部４を形成するための部分を有し、この第１本体２の収容部４を形成するための部分にフック部材５を取り付け、
使用状態において第１本体２と第２本体３とフック部材５がほぼコ字形状となるようにした携帯ハンガーとすることができる。
【０００８】
このようにすれば、使用状態における開口幅を大きくできる。
【０００９】
本考案は、前記第１本体２と第２本体３は使用状態において開き状態となるように連結し、
前記第１本体２は収容部４を形成する凹部２ａを有し、この第１本体２の凹部２ａにフック部材５を取り付け、
使用状態において第１本体２と第２本体３が鉤形状となり、第１本体２とフック部材５が鉤形状となるようにした携帯ハンガーとすることができる。
【００１０】
このようにすれば、使用状態における開口幅を大きくできる。
しかも、携帯時には、フック部材５を第１本体２の凹部２ａ内に収容することができる。
【００１１】
本考案は、前記第２本体３の第１本体２と対向した内側面３ａに、滑り止め用のプレート３２を設け、当該プレート３２を使用状態において天板に接するようにした携帯ハンガーとすることができる。
【００１２】
このようにすれば、携帯状態ではプレート３２が見えないので、本体部１の外観が見栄えよい。
【００１３】
本考案は、第１部材６と第２部材７を重なり合った第１の姿勢と、ほぼくの字形状の第２の姿勢とに回動自在に連結してフック部材５とし、
前記第１部材６を第１本体２の凹部２ａに、第１部材６と第２部材７を第１の姿勢として凹部２ａに収容する収容姿勢と、第１部材６と第２部材７を第２の姿勢として凹部２ａから張り出した使用姿勢とに回動自在に取り付け、
前記第１部材６の第１本体２に対する回動方向と、第１部材６と第２部材７の回動方向と、前記第１本体２と第２本体３の回動方向を同一とした携帯ハンガーとすることができる。
【００１４】
このようにすれば、第１本体２と第２本体３、第１部材６、第２部材７を同一方向に回動することで携帯状態、使用状態とすることができ、その操作が容易であると共に、耐久性が向上する。
【００１５】
本考案は、前記第１本体２と第２本体３との連結部に、当該第１本体２と第２本体３の開き角度を規制する回動ストッパー部を設け、
前記第１部材６は一側片６０と他側片６１を有し、その一側片６０と他側片６１の一端部間に跨って設けたピン７３で第２部材７と回動自在に連結し、該第１部材６と第２部材７との連結部に、第１部材６と第２部材７の最大回動角度を規制して第２の姿勢で保持するストッパー部を設け、
前記一側片６０と他側片６１の他端部を第１本体２に回動自在に取り付けて、その一側片６０、他側片６１を第１本体２に当接して使用姿勢に保持するようにした携帯ハンガーとすることができる。
【００１６】
このようにすれば、本体部１、フック部５を使用状態でしっかりと保持できるから、バックを確実に吊り下げ支持できる。
【考案の効果】
【００１７】
本考案によれば、使用時にはフック部材５を使用姿勢とすることでテーブルの天板にバックを吊り下げでき、携帯時にはフック部材５を本体部１の収容部４内に収容して外部から見えないようにできるので、携帯時には本体部１のみが見え、外観の見栄えが良い携帯ハンガーとすることができる。
【図面の簡単な説明】
【００１８】
【図１】携帯状態の携帯ハンガーの斜視図である。
【図２】携帯ハンガーの本体部を開いた状態の斜視図である。
【図３】使用状態の斜視図である。
【図４】使用状態の正面図である。
【図５】携帯状態の平面図である。
【図６】図５のＡ−Ａ断面図である。
【図７】使用状態の断面図である。
【図８】支持部材の表側斜視図である。
【図９】支持部材の裏側斜視図である。
【考案を実施するための形態】
【００１９】
図１〜図３に示すように、携帯ハンガーの本体部１は第１本体２と第２本体３を開閉自在に連結し、その第１本体２と第２本体３を図１に示すように閉じた状態とすることで、その本体部１内に収容部４を形成する。
例えば、第１本体２は図２に示すように、収容部４を形成するための部分、例えば凹部２ａを有し、第１本体２と第２本体３を閉じた状態とすることで、第１本体２と第２本体３とで収容部４を形成し、第１本体２と第２本体３の最大開き角度はほぼ９０度としてある。
前記本体部１の第１本体２にフック部材５が取り付けてある。例えば、第１本体２の凹部２ａ内にフック部材５が取り付けてある。
【００２０】
前記フック部材５は、図１や図２に示すように本体部１の収容部４、例えば第１本体２の凹部２ａ内に収容された収容姿勢と、図３に示すように本体部１の収容部４、例えば第１本体２の凹部２ａよりも外に張り出した使用姿勢とに亘って回動変位できるようにしてある。
前記フック部材５が使用姿勢のときには、図４に示すようにフック部材５の先端部５ａが本体部１の第２本体３の内側面３ａと対向する。例えば、第１本体２とフック部材５がほぼ鉤形状となる。
前記本体部１の第１本体２と第２本体３の最大開き角度は、図４に示すようにほぼ９０度で、第１本体２と第２本体３がほぼ鉤形状となる。
【００２１】
前述のハンガーは、ハンガーとして使用するときには本体部１の第１本体２と第２本体３とフック部材５がほぼコ字形状で、フック部材５の先端部５ａが第２本体３の内側面３ａ（第１本体２と対向した面）と対向する。
【００２２】
このようであるから、携帯時には、フック部材５を収容姿勢として第１本体２と第２本体３を閉じることで、図１に示すように本体部１のみが見え、フック部材５は見えないので外観の見栄えが良い。
また、前記フック部材５を使用姿勢とし、本体部１を最大開き状態とした図４に示す使用状態とすることで、第２本体３の内側面３ａ（第１本体２と対向した面）をテーブルの天板ａに載置し、フック部材５を天板ａの下面と対向させることで、そのフック部材５にハンドバックを吊り下げできる。
【００２３】
前述したように、第１本体２の凹部２ａ内にフック部材５を取り付け、ハンガーとして使用する使用状態において、第２本体３と第１本体２がほぼ鉤形状で、第１本体２とフック部材５がほぼ鉤形状となり、本体部１の第１本体２と第２本体３とフック部材５がほぼコ字形状となるようにしたことで、第１本体２をフック部材５の一部として利用できるから、フック部材５の先端部５ａと第２本体３の内側面３ａとの間の距離、つまり使用状態での開口幅を大きくできる。
【００２４】
つまり、天板ａに載置する第２本体３にフック部材５を取り付け、使用状態では第１本体２がフック部材５として機能しないようにしても良いが、このようにするとフック部材５の先端部５ａと第２本体３の内側面３ａとの間の距離が短く、前述の使用状態での開口幅が小さくなる。
【００２５】
前記フック部材５を、第１本体２における第１本体２と第２本体３の連結部と当該第１本体２の長手方向（径方向）に反対側位置に取り付けることで、フック部材５を図４に示す使用姿勢とし、テーブルの天板ａに取り付ける使用状態において、第１本体２のほぼ全長がフック部材５の一部分となるようにしたから、フック部材５の先端部５ａと第２本体３との間の距離、つまり使用状態での開口幅をより大きくできる。
【００２６】
例えば、フック部材５を第１部材６と第２部材７を回動自在に連結したものとし、その第１部材６を、第１本体２と連結した連結部を設け、第１本体２と第２本体３の連結部と反対側位置に回動自在に取り付けることで、図４に示すように第１本体２のほぼ全長がフック部材５の一部分を構成するようにすることができる。
【００２７】
次に各部材の詳細を図１〜図９に基づいて説明する。
前記第１本体２は、図２、図５、図６に示すように、基板２０と、その外周縁に設けたリング状突片２１で凹部２ａを有する形状で、その外周縁に連結部が設けてある。
例えば、突部２２が一体に設けてあり、その突部２２には孔２３が形成されている。
前記突部２２には、チェーンや紐などの吊り具を連結する連結部、例えば連結用穴２４が形成してある。
前記リング状突片２１における前記突部２２（第１本体２の連結部）と径方向と反対側には、一対の切欠凹部２５が周方向に離隔して有する。
【００２８】
前記第２本体３は、図２、図５、図６に示すように、基板３０の内側面３０ａに、その外周面に沿った凹陥部３１を有し、平面大きさは第１本体２と同一である。
前記凹陥部３１には、低摩擦材、例えばゴムより成る滑り止め用のプレート３２が嵌め込むようにして取り付けてあり、テーブルの天板に載置したときに、そのプレート３２が天板に接触し、第２本体３が滑らないようにしてある。
前記基板３０の外周縁の一部には連結部が設けてある。その連結部は、例えば、一対の突部３３が間隔を置いて設けてあり、その各突部３３には孔３４が同心状に形成してある。
前記プレート３２と基板３０とには穴３５，３６が同心状に形成されている。この穴３５，３６は前記一対の突部３３の径方向の反対側に形成してある。
【００２９】
前記第１本体２と第２本体３は、前記突起２２を一対の突部３３間に挿入し、各孔２３，３４にピン３７を挿入して回動自在に連結してある。
つまり、第１本体２の連結部と第２本体３の連結部をピン３７で回動自在に連結して第１本体２と第２本体３を開き状態と閉じ状態に回動自在に連結している。
【００３０】
前記第１本体２の連結部（突部２２）と第２本体３の連結部（一対の突部３３）は、第１本体２と第２本体３がほぼ９０度回動した開き状態となったときに相互に干渉してそれ以上開き方向に回動しないようにして開き角度をほぼ９０度に規制する回動ストッパー部を有している。
例えば、一対の突部３３を連続する部分に当接部３８を形成し、突部２２には受部２６を形成し、第１本体２と第２本体３がほぼ９０度回動したときに図７に示すように、当接部３８と受部２６が当接するようにして回動ストッパー部としてある。
【００３１】
このようであるから、図４、図７に示す使用状態において、テーブルの天板ａに載置した第２本体３に対して第１本体２がほぼ９０度以上回動することが規制されるので、第１本体２をフック部材５の一部分として利用できる。
なお、第１本体２と第２本体３の開き角度は、図４、図７に示す使用状態においてほぼ９０度に限らず、使用状態において対向する第２本体３の内側面３ａとフック部材５の距離（使用状態での開口幅）が適切となれば、開き角度を形成する鉤形状は例えば９０度よりも小さい角度でも良く、または９０度よりも大きい角度でも良く、これによりフック部材５はその一部や全体が第２本体３の内側面３ａと対向する。
【００３２】
前記フック部材５の第１部材６は、一側片６０の一端部と他側片６１の一端部を連結片６２で一体に連結し、一側片６０の他端部と他側片６１の他端部が離隔した一部分が不連続なリング形状、例えば、一側片６０と他側片６１が円弧形状で、ほぼＣ形状としてある。
前記一側片６０、他側片６１の他端部は、小径部６０ａ，６１ａと大径部６０ｂ，６１ｂを有した回動支点としてある。
前記連結片６２は横向片６２ａと縦向片６２ｂで鉤形状で、この連結片６２で一体に連結された一側片６０、他側片６１の一端部には一側孔６３と他側孔６４が同心状に形成されている。
【００３３】
前記第１部材６の一側片６０、他側片６１の他端部が第１本体２の凹部２ａ内に、凹部２ａ内に収容された姿勢と、第１本体２よりも張り出した姿勢とに亘って回動自在に取り付けてある。
前記第１部材６が張り出した姿勢のときに、その一側片６０と他側片６１が前記第１本体２のリング状突片２１の切欠部２５にそれぞれ当接し、第１部材６に負荷する力を一側片６０、他側片６１（つまり、２ヶ所）で第１本体２により支持でき、大きな力にも耐えることができる。
【００３４】
前記一側片６０、他側片６１の他端部は、第１本体２に取り付けた支持部材８で回動自在に支承されている。
前記支持部材８は、図８、図９に示すように、下面に開口した一対の凹部８０と、この各凹部８０を側面に開口する切欠凹部８１と、下面に開口した取付用穴８２と、上面に設けた突部８３を備えている。
該支持部材８は、第１本体２の基板２０に、前記一側片６０、他側片６１の小径部６０ａ，６１ａが切欠凹部８１に合致し、大径部６０ｂ，６１ｂが凹部８０内に位置するようにして設け、基２０の裏面からねじ８４を取付用穴８２に螺合して固定して取り付ける。
これによって、第１部材６は各大径部６０ｂ，６１ｂが各凹部８０内で回動自在に取り付けられる。
【００３５】
そして、第１本体２と第２本体３を閉じると、前記突部８３が前記第２本体３のプレート３２の穴３５に嵌合し、第１本体２と第２本体３が振動などで開かないように保持する。
【００３６】
前記第２部材７は、第１部材６の内部に嵌まり合うリング形状の本体７０と、その一部分に設けた突起部７１を有し、その突起部７１には孔７２が形成してある。
そして、前記突起部７１が第１部材６の一側片６０の一端部と他側片６１の一端部との間に、連結片６２よりも内側となるように設けられ、この突起部７１の孔７２と前記一側孔６３、他側孔６４にピン７３を挿入して第１部材６と第２部材７を、第１部材６の内側に第２部材が嵌まり合うように重なり合った第１の姿勢と、第１部材６から第２部材７が張り出し、第１部材６と第２部材７がほぼくの字状となった第２の姿勢とに亘って回動自在に連結してある。
くの字状となった第２の姿勢においては、フック部材５の第１部材６と第２部材７がくの字状の鉤形状となっているが、その開き角度を形成する鉤形状は、使用状態において対向する第２本体３の内側面ｎ３ａとフック部材５の距離（使用状態での開口幅）が適切となれば９０度よりも小さい角度でも良く、または９０度よりも大きい角度でも良い。
【００３７】
前記第１部材６と第２部材７が図７に示すように、ほぼくの字状となった第２の姿勢のときに、第２部材７の突起部７１が連結片６２の縦向片６２ｂに当接し、第１部材６と第２部材７のそれ以上の回動を規制し、使用状態のときにハンドバックを吊り下げた場合に、そのハンドバックの重量で第２部材７が第１部材６に対して下方に回動しないようにしてある。
つまり、前記第１部材６の連結片６２（縦向片６２ｂ）と第２部材７の突起部７１が、第１部材６と第２部材７の最大回動角度を規制するストッパー部を形成している。
このストッパー部は、前述のものに限ることはなく、任意のものとすることができる。
【００３８】
前述のように、第１部材６と第２部材７を回動自在に連結するピン７３は、その長手方向両端部分が、第１部材６の一側片６０の一端部と他側片６１の一端部とに跨って回動自在に支承されているので、第１部材６と第２部材７を回動自在にしっかりと連結でき、前述したように吊り下げたハンドバック２で第１部材６と第２部材７が外れたりすることがない。
【００３９】
第１部材６の第１本体２に対する回動方向と、第２部材７の第１部材６に対する回動方向と、第１本体２と第２本体３との回動方向は同じ方向である。
【００４０】
このようであるから、第１本体２と第２本体３を開いた状態とし、第１部材６を第１本体２から張り出した姿勢に回動すると共に、第２部材７を第１部材６から張り出した第２の姿勢に回動することで、使用状態とすることができる。
前述と反対の操作をすることでフック材５を本体部１内に収容して携帯状態とすることができる。
したがって、使用状態、携帯状態にする操作が単純で簡単である。
【００４１】
しかも、第１部材６、第２部材７（つまり、フック部材５）を同一方向にのみ回動すれば良いから、フック部材５の耐久性が向上する。
つまり、前述した従来の携帯ハンガーは、フック部材を一方向に回動自在として畳み姿勢にできるようにし、そのフック部材を本体部に９０度回転できるように取り付けて使用姿勢にできるようにしているので、フック部材の回動部の数が多く、耐久性に劣ると共に、操作が面倒である。
【００４２】
前述の説明では、フック部材５を２つの部材を回動自在に連結したが、３つ以上の部材を回動自在に連結しても良い。
また、傘を吊り下げるときに使用する携帯ハンガーではフック部材５を、例えば第１部材６の１つの部材で構成し、第１本体２に回動自在に連結することも可能である。
また、第１本体２の収容部４を構成するための部分（凹部２ａ）とは反対側の基板２０の裏面（外側面）に鏡を取り付けても良いし、第２本体３の内側面３ａとは反対側の表面（外側面）に鏡を取り付け、鏡の上部に蓋を設けて鏡を使用しないときには鏡を覆うようにしても良い。
また、前記第１本体２、第２本体３、第１部材６、第２部材７は平面形状が円形に限ることはなく、楕円形、長方形、正方形など、任意の形状とすることができる。
また、第１本体２の収納部４を形成するための部分は、基板２０の外周縁にリング状突片２１を設け凹部２ａとなっているが、軽量化やデザインでリング状突片２１に孔を形成したり、第１本体２と第２の本体３の連結部やフック部材５の連結部を除いたリング状突片２１を切り欠き開口部を形成して、本体部１の第２本体３と第１本体２の間にリング状突片２１のない収納部４を形成することもできる。
携帯ハンガーは、飲食店等の店舗がその店舗内で使用するときには店舗内のテーブルの天板ａに載置し使用され、店舗内で使用しないときには携帯状態とし店舗内に保管することもできる。
【００４３】
前記第１本体２の収容部４を形成するための部分は前述した基板２０とリング状突片２１とで凹部２ａを有する形状としてあるが、これに限ることはない。
例えば、基板２０に収容姿勢のフック部自亜５が嵌まり合う形状の溝を形成したり、基板２０に柔軟なマットを設け、そのマットにフック部材５を押し込むようにする。
また、収容部４を形成する部分は、第１本体２と第２本体３の両方に形成しても良い。
前記フック部材５１の鉤形状の使用姿勢を、ほぼくの字状としたが、これに限ることはなく、ほぼＣの字形状、ほぼＵの字形状、ほぼＪの字形状等としても良い。
また、フック部材５の使用姿勢を，Ｗの字形状、波形状などとしても良い。
【符号の説明】
【００４４】
１…携帯ハンガーの本体部、２…第１本体、２ａ…凹部、３…第２本体、４…収容部、５…フック部材、６…第１部材、７…第２部材、３２…プレート、３７…ピン、６０…一側片、６１…他側片、６２…連結片。
【図１】
0003164945.tif 000003
【図２】
0003164945.tif 000004
【図３】
0003164945.tif 000005
【図４】
0003164945.tif 000006
【図５】
0003164945.tif 000007
【図６】
0003164945.tif 000008
【図７】
0003164945.tif 000009
【図８】
0003164945.tif 000010
【図９】
0003164945.tif 000011
【手続補正書】
【提出日】平成22年10月12日(2010.10.12)
【手続補正１】
【補正対象書類名】明細書
【補正対象項目名】０００３
【補正方法】変更
【補正の内容】
【０００３】
【特許文献１】実用新案登録第３１５５０９５号公報